(57)【要約】【課題】簡易な構成でありながら、縫い代などが肌に接触することで生じる刺激を低減させると共に、着用感を向上させるようにした被服を提供する。【解決手段】少なくとも前身頃（上着前身頃ＴＦ）と後身頃（上着後身頃ＴＢ）とを備えた被服、具体的には、上着Ｔにおいて、衿部Ｃが、前身頃（上着前身頃ＴＦ）から一体的に連続する前衿部ＣＦと、後身頃（上着後身頃ＴＢ）から一体的に連続する後衿部ＣＢとを縫着してなるようにする。【選択図】図１
2008069465.tif 000002
【特許請求の範囲】
【請求項１】
少なくとも前身頃と後身頃とを備えた被服において、衿部が、前記前身頃から一体的に連続する前衿部と、前記後身頃から一体的に連続する後衿部とを縫着してなることを特徴とする被服。
【請求項２】
少なくとも前身頃と後身頃とを備えたズボンからなる被服において、前記前身頃と後身頃が、内股側において一体的に連続する左右の生地片からなり、前記左右の生地片をそれぞれ折り合わせて対向配置させつつ、脇側を縫着してなることを特徴とする被服。
【請求項３】
前記生地片は、ウエストラインの長さがヒップラインのそれよりも短く裁断されてなることを特徴とする請求項２記載の被服。
【発明の詳細な説明】
【技術分野】
【０００１】
この発明は被服に関する。
【０００２】
尚、この明細書において、「前身頃」は、被服の着用時において着用者の前面に位置する生地片全てを意味し、「後身頃」は、同様に着用者の後面（背面）に位置する生地片全てを意味するものとして使用する。
【背景技術】
【０００３】
被服は一般に複数枚の生地片、具体的には、前身頃となる生地片と後身頃となる生地片とを縫着して形成される。生地片を縫着した部位には縫い代などが形成され、その縫い代は被服の内側（裏側）に位置させられる。そのため、縫い代などは着用者の肌（皮膚）に直接接触し、着用感を低下させるという不具合があった。また、肌の弱い人（例えば、アトピー性皮膚炎などの症状を持つ人）においては、縫い代などが肌に接触して刺激を受けると、痒みを覚えたり、炎症が悪化するなどの不具合もあった。
【０００４】
そこで、近年、縫い代を肌に接触させないようにした技術が種々提案されている。例えば、下記の特許文献１記載の技術にあっては、２枚の生地片を縫着し、縫着線より端辺側の端地、即ち、縫い代を被服の外側に配置すると共に、外側に露出した縫い代をライン形成用テープ地で被覆するように構成している。
【特許文献１】特開２００１−３１６９２５号公報（段落０００８，０００９、図３など）
【発明の開示】
【発明が解決しようとする課題】
【０００５】
しかしながら、特許文献１記載の技術の如く、縫い代を被服の外側に配置し、それをライン形成用テープ地で覆うようにすると、被服の着用感は向上するものの、被服を構成する部材や製作工数が増加するという不都合が生じる。
【０００６】
従って、この発明の目的は上記した課題を解決し、簡易な構成でありながら、縫い代などが肌に接触することで生じる刺激を低減させると共に、着用感を向上させるようにした被服を提供することにある。
【課題を解決するための手段】
【０００７】
上記の目的を解決するために、請求項１にあっては、少なくとも前身頃と後身頃とを備えた被服において、衿部が、前記前身頃から一体的に連続する前衿部と、前記後身頃から一体的に連続する後衿部とを縫着してなるように構成した。
【０００８】
請求項２にあっては、少なくとも前身頃と後身頃とを備えたズボンからなる被服において、前記前身頃と後身頃が、内股側において一体的に連続する左右の生地片からなり、前記左右の生地片をそれぞれ折り合わせて対向配置させつつ、脇側を縫着してなるように構成した。
【０００９】
請求項３に係る被服にあっては、前記生地片は、ウエストラインの長さがヒップラインのそれよりも短く裁断されてなるように構成した。
【発明の効果】
【００１０】
請求項１に係る被服にあっては、衿部が、前身頃から一体的に連続する前衿部と、後身頃から一体的に連続する後衿部とを縫着してなるように構成したので、簡易な構成でありながら、縫い代などが肌に接触することで生じる刺激を低減できると共に、着用感を向上させることができる。
【００１１】
具体的には、特許文献１などの従来技術に係る被服にあっては、衿部が、前身頃と後身頃の上端（首グリ）に別体からなる衿生地片を縫着してなるように構成される。そのため、着用者の首つけ根廻りには、前後身頃と衿生地片とを縫着する際に形成される縫い代が位置させられることとなり、それが肌に接触して着用感を低下させていた。特に、肌の弱い人においては、縫い代が首つけ根廻りの肌に接触することによって刺激を受け、痒みを覚えたり、アトピー性皮膚炎などの症状が悪化することもあった。
【００１２】
しかしながら、請求項１に係る被服にあっては、衿部が、前身頃から一体的に連続する前衿部と、後身頃から一体的に連続する後衿部とを縫着してなるように構成、即ち、従来技術において着用者の首つけ根廻りに位置させられていた縫い代を除去するように構成したので、縫い代を被服の外側に配置し、それをライン形成用テープ地で覆う従来技術に比して簡易な構成でありながら、縫い代などが肌に接触することで生じる刺激、より具体的には、着用者の首つけ根廻りの肌に生じる刺激を低減できると共に、着用感を向上させることができる。
【００１３】
請求項２に係る被服にあっては、ズボンの前身頃と後身頃が、内股側において一体的に連続する左右の生地片からなり、左右の生地片をそれぞれ折り合わせて対向配置させつつ、脇側を縫着してなるように構成したので、簡易な構成でありながら、縫い代などが肌に接触することで生じる刺激を低減できると共に、着用感を向上させることができる。
【００１４】
具体的には、従来技術に係る被服（ズボン）は、左右の前身頃と左右の後身頃の４枚の生地片からなり、右の前身頃と右の後身頃を内股側と脇側で縫着して右身頃を形成する一方、左の前身頃と左の後身頃を内股側と脇側で縫着して左身頃を形成し、その右身頃と左身頃を縫着させてなるように構成される。即ち、ズボンの内股側と脇側の両方に縫い代が形成される。ところで、着用者が歩行や運動などするとき、着用者の肌にはズボンの内股側が脇側に比して多く接触する。従って、着用者が歩行や運動などする際、内股側の縫い代が着用者の肌に接触し、着用感を低下させていた。特に、肌の弱い人においては、内股側の縫い代が肌に接触することによって刺激を受け、痒みを覚えたり、アトピー性皮膚炎などの症状が悪化することもあった。
【００１５】
しかしながら、請求項２に係る被服にあっては、ズボンの前身頃と後身頃が、内股側において一体的に連続する左右の生地片からなり、左右の生地片をそれぞれ折り合わせて対向配置させつつ、脇側を縫着してなるように構成、即ち、従来技術において着用者の内股側に位置させられていた縫い代を除去するように構成したので、４枚の生地片を縫着する従来技術に比して簡易な構成でありながら、縫い代などが肌に接触することで生じる刺激、より具体的には、着用者の内股側の肌に生じる刺激を低減できると共に、着用感を向上させることができる。
【００１６】
請求項３に係る被服にあっては、生地片は、ウエストラインの長さがヒップラインのそれよりも短く裁断されてなるように構成したので、請求項２で述べた効果に加え、被服が肌に接触することで生じる刺激を効果的に低減できると共に、着用感をより一層向上させることができる。
【００１７】
具体的には、従来技術に係る被服（ズボン）は、生地片が、ウエストラインの長さとヒップラインの長さが略同一となるように裁断されてなると共に、ウエストライン、換言すれば、着用者の腰部廻りにおいてギャザー（ひだ。しわ）が形成されるように構成される。そのため、腰部廻りに位置させられたギャザーが着用者の肌に接触し、着用感を低下させていた。特に、肌の弱い人においては、ギャザーが肌に接触することによって刺激を受け、痒みを覚えたり、アトピー性皮膚炎などの症状が悪化することもあった。
【００１８】
しかしながら、請求項３に係る被服にあっては、ズボンの生地片は、ウエストラインの長さがヒップラインのそれよりも短く裁断されてなるように構成したので、ウエストラインに形成されるギャザーの量を従来のものに比して減少させることができ、よって被服が肌に接触することで生じる刺激、より具体的には、着用者の腰部廻りの肌に生じる刺激を効果的に低減できると共に、着用感をより一層向上させることができる。
【発明を実施するための最良の形態】
【００１９】
以下、添付図面に即してこの発明に係る被服の最良の実施の形態について説明する。
【実施例】
【００２０】
図１はこの発明の実施例に係る被服のうちの上着の正面図と上着を着用したときの左側面図であり、図２は図１に示す上着の背面図と上着を着用したときの右側面図である。また、図３はこの発明の実施例に係る被服のうちのズボンの正面図とズボンを着用したときの左側面図であり、図４は図３に示すズボンの背面図とズボンを着用したときの右側面図である。尚、この明細書において、左右あるいは前後などの記載は、着用者にとっての左右方向あるいは前後方向を意味する。
【００２１】
図１から４において、符号Ｔは被服、具体的には、上着（上衣。トップス）からなる被服を示す。また、符号Ｐは被服、具体的には、ズボン（下衣。ボトムス。パンツ）からなる被服を示す。
【００２２】
先ず、上着（被服）Ｔから説明すると、上着Ｔは、図１，２に示す如く、上着前身頃（前身頃）ＴＦと、上着後身頃（後身頃）ＴＢと、左右の袖部ＳＬ，ＳＲと、上乗せ前立てＭの各生地片からなる。
【００２３】
図５は、上記した生地片のうち、縫着（縫合）する前の上着前身頃ＴＦを示す平面図である。
【００２４】
図５に示す如く、上着前身頃ＴＦは、前中心線（１点鎖線で示すが、実際に線があるわけではない）１−８を軸として左右対称な右上着前身頃ＴＦＲと左上着前身頃ＴＦＬとからなる。
【００２５】
右上着前身頃ＴＦＲは、前記した前中心線１−８と、それに連続する各辺、具体的には、後に裾となる直線辺たる８−７Ｒと、後に脇線となる曲線辺たる７Ｒ−６Ｒと、後に袖グリとなる曲線辺たる６Ｒ−５Ｒと、後に肩部となる直線辺たる５Ｒ−４Ｒと、後に衿部Ｃ、より詳しくは、前衿部ＣＦとなる、直線辺と曲線辺たる４Ｒ−３Ｒ−２Ｒ（後述）と、後に前立てとなる曲線辺たる２Ｒ−１とによって画成される領域である。
【００２６】
また、左上着前身頃ＴＦＬは、同様に前記した前中心線１−８と、それに連続する直線辺たる８−７、曲線辺たる７−６、曲線辺たる６−５と、直線辺たる５−４と、直線辺と曲線辺たる４−３−２と、曲線辺たる２−１によって画成される領域である。尚、図５などに示す破線ＦＮＬは、上着前身頃ＴＦにおいて着用者の首Ｎの廻り、即ち、首つけ根廻りに該当する部位を表す。
【００２７】
この上着前身頃ＴＦにおいて特徴的なことは、上着Ｔの衿部Ｃの一部である前衿部ＣＦが、上着前身頃ＴＦと同一の生地片から製作される、換言すれば、上着前身頃ＴＦから一体的に連続して形成されることにある。尚、図５において、理解の便宜のため、前衿部ＣＦを斜線で示す。
【００２８】
図６は、上着Ｔを構成する生地片のうち、縫着（縫合）する前の上着後身頃ＴＢを示す平面図である。
【００２９】
上着後身頃ＴＢは、図６に示す如く、後中心線（１点鎖線で示すが、実際に線があるわけではない）１０−１７を軸として左右対称な右上着後身頃ＴＢＲと左上着後身頃ＴＢＬとからなる。
【００３０】
右上着後身頃ＴＢＲは、前記した後中心線１０−１７と、それに連続する各辺、具体的には、後に裾となる直線辺たる１７−１６Ｒと、後に脇線となる曲線辺たる１６Ｒ−１５Ｒと、後に袖グリとなる曲線辺たる１５Ｒ−１４Ｒと、後に肩部となる直線辺たる１４Ｒ−１３Ｒと、後に衿部Ｃ、より詳しくは、後衿部ＣＢとなる、２つの直線辺たる１３Ｒ−１２Ｒ−１０（後述）とによって画成される領域である。
【００３１】
左上着後身頃ＴＢＬは、同様に前記した前中心線１０−１７と、それに連続する直線辺たる１７−１６と、曲線辺たる１６−１５と、曲線辺たる１５−１４と、直線辺たる１４−１３と、２つの直線辺たる１３−１２−１０とによって画成される領域である。尚、図６などに示す破線ＢＮＬは、上着後身頃ＴＢにおいて着用者の首つけ根廻りに該当する部位を表す。
【００３２】
この上着後身頃ＴＢにおいて特徴的なことは、上着Ｔの衿部Ｃの一部である後衿部ＣＢが、上着後身頃ＴＢと同一の生地片から製作される、換言すれば、上着後身頃ＴＢから一体的に連続して形成されることにある。尚、図６において、後衿部ＣＢを斜線で示す。
【００３３】
図７は、上着Ｔを構成する生地片のうち、縫着する前の上乗せ前立てＭを示す平面図（図７（ａ））と背面図（図７（ｂ））である。
【００３４】
図７に示すように、上乗せ前立てＭは平面視略Ｖ字状を呈し、より正確には、前述した上着前身頃ＴＦの曲線辺２Ｒ−１−２と、前衿部ＣＦの曲線辺２Ｒ−３Ｒ，２−３と、上着後身頃ＴＢの後衿部ＣＢの直線辺１２Ｒ−１０，１２−１０に即した形状となるように裁断されてなる。図７（ｂ）に示す上乗せ前立てＭの符号は、理解の便宜のため、それぞれ上着前身頃ＴＦと上着後身頃ＴＢの部位に対応した番号となるようにして付した。また、図７（ａ）に示す上乗せ前立てＭの符号は、図７（ｂ）で付した符号に２０を加算した番号とした。具体的には、図７（ｂ）で符号「１」あるいは「１１」と付した部位は、図７（ａ）で対応する部位に符号「２１」あるいは「３１」と付した。
【００３５】
尚、上記した上着前身頃ＴＦ、上着後身頃ＴＢ、上乗せ前立てＭおよび左右の袖部ＳＬ，ＳＲなどの生地片は、肌に対する刺激が比較的少ない素材（例えば、特許第２９８７６０５号公報に記載されるセラミックス微粒子を含有する繊維（綿）、あるいは特開２００４−１３１４５３号公報に記載されるマイナスイオン発生素材と遠赤外線素材を含有する繊維、若しくはこれらの繊維からなる混紡糸など）のニットから製作される。
【００３６】
次いで、図１および図２を参照して上着前身頃ＴＦ、上着後身頃ＴＢ、上乗せ前立てＭおよび左右の袖部ＳＬ，ＳＲの縫着（縫合）について説明する。尚、図において、括弧で表す符号は図示上見えない箇所を示す。
【００３７】
先ず、上着前身頃ＴＦと上着後身頃ＴＢは、上着前身頃ＴＦの上端縁５Ｒ−４Ｒ−３Ｒおよび５−４−３と上着後身頃ＴＢの上端縁１４Ｒ−１３Ｒ−１２Ｒおよび１４−１３−１２をそれぞれ縫合すると共に、上着前身頃ＴＦの脇線たる７Ｒ−６Ｒおよび７−６と上着後身頃ＴＢの脇線たる１６Ｒ−１５Ｒおよび１６−１５をそれぞれ縫合して接続される。
【００３８】
接続された上着前身頃ＴＦと上着後身頃ＴＢに、上乗せ前立てＭが縫合される。具体的には、上乗せ前立てＭの曲線辺２２Ｒ（２Ｒ）−２１（１）−２２（２）を上着前身頃ＴＦの曲線辺２Ｒ−１−２に縫合すると共に、上乗せ前立てＭの曲線辺２５Ｒ−２６−２５を、図１によく示す如く、上着前身頃ＴＦの適宜位置に縫合する。
【００３９】
また、上乗せ前立てＭの曲線辺２２Ｒ（２Ｒ）−２３Ｒ（３Ｒ）（１２Ｒ）−３０（１０）と２２（２）−２３（３）（１２）−３０（１０）を上着前後身頃ＴＦ，ＴＢの曲線辺２Ｒ−３Ｒ（１２Ｒ）−１０と２−３（１２）−１０に縫合すると共に、残余の上乗せ前立てＭの曲線辺３０（１０）−３１（１１）−２４Ｒ（４Ｒ）（１３Ｒ）−２５Ｒと３０（１０）−３１（１１）−２４（４）（１３）−２５を、図１および２に示すように、上着前後身頃ＴＦ，ＴＢの適宜位置に縫合する。上記のようして構成された衿部Ｃは、図１（ｂ）、図２（ｂ）によく示すように、立ち衿（スタンドカラー）からなる。
【００４０】
以上の如く、上着Ｔにおける衿部Ｃおよび前立ては、上着前後身頃ＴＦ，ＴＢの外側に上乗せ前立てＭを乗せて縫合することで形成され、よって上着前後身頃ＴＦ，ＴＢの内側において、従来技術に係る上着の衿部や前立て付近に存在していた縫い代などを除去することができる。尚、この明細書で「外（表）側」とは、着用された被服において露出される部分、即ち、着用者の身体に接触しない部分を意味し、「内（裏）側」とは、被覆される部分、即ち、着用者の身体に接触する部分を意味する。
【００４１】
図１および図２の説明を続けると、接続された上着前身頃ＴＦと上着後身頃ＴＢの袖グリ１５Ｒ（６Ｒ）−１４Ｒ（５Ｒ）および１５（６）−１４（５）に、左右の袖部ＳＬ，ＳＲを縫合することにより、上着Ｔが完成する。
【００４２】
このように、この実施例に係る被服（上着Ｔ）にあっては、衿部Ｃが、上着前身頃ＴＦから一体的に連続する前衿部ＣＦと、上着後身頃ＴＢから一体的に連続する後衿部ＣＢとを縫着してなるように構成したので、簡易な構成でありながら、縫い代などが肌に接触することで生じる刺激を低減できると共に、着用感を向上させることができる。
【００４３】
具体的には、前記した特許文献１などの従来技術に係る被服にあっては、衿部が、前身頃と後身頃の上端に別体からなる衿生地片を縫着してなるように構成される。そのため、着用者の首つけ根廻りには縫い代が位置させられることとなり、それが肌に接触して着用感を低下させていた。特に、肌の弱い人においては、縫い代が首つけ根廻りの肌に接触することによって刺激を受け、痒みを覚えたり、アトピー性皮膚炎などの症状が悪化することもあった。
【００４４】
しかしながら、この実施例に係る被服にあっては、衿部（立ち衿）Ｃが、上着前身頃ＴＦから一体的に連続する前衿部ＣＦと、上着後身頃ＴＢから一体的に連続する後衿部ＣＢとを縫着してなるように構成、即ち、従来技術において着用者の首つけ根廻りに位置させられていた縫い代を除去するように構成したので、縫い代を被服の外側に配置し、それをライン形成用テープ地で覆う従来技術に比して簡易な構成でありながら、縫い代などが肌に接触することで生じる刺激、より具体的には、着用者の首つけ根廻りの肌に生じる刺激を低減できると共に、着用感を向上させることができる。
【００４５】
次いで、ズボン（被服）Ｐについて説明する。ズボンＰは、図３，４に示す如く、ズボン右身頃ＰＲと、ズボン左身頃ＰＬの各生地片からなる。尚、この明細書において、「右身頃」は、被服の着用時において着用者の右側に位置する生地片全てを意味し、「左身頃」は、同様に着用者の左側に位置する生地片全てを意味するものとして使用する。
【００４６】
図８は、上記した生地片のうち、縫着（縫合）する前のズボン右身頃ＰＲを示す平面図である。
【００４７】
図８に示す如く、ズボン右身頃ＰＲは、内股線（１点鎖線で示すが、実際に線があるわけではない）Ｒ５１−Ｒ６２を境界として前ズボン右身頃（前身頃）ＰＲＦと後ズボン右身頃（後身頃）ＰＲＢとからなる。
【００４８】
前ズボン右身頃ＰＲＦは、上記した内股線Ｒ５１−Ｒ６２と、それに連続する各辺、具体的には、後に裾となる直線辺たるＲ６２−Ｒ６３と、後に脇線となる曲線辺たるＲ６３−Ｒ６４−Ｒ６５−Ｒ６６と、後にウエストラインＷＬとなる、３つの直線辺たるＲ６６−Ｒ６７−Ｒ６８−Ｒ６９−Ｒ７０−Ｒ７１と、後にクロッチ部（股グリ）ＣＬとなる曲線辺たるＲ７１−Ｒ７２−Ｒ５１とによって画成される領域である。
【００４９】
後ズボン右身頃ＰＲＢは、内股線Ｒ５１−Ｒ６２と、それに連続する各辺、具体的には、後に裾となる直線辺たるＲ６２−Ｒ６１と、後に脇線となる曲線辺たるＲ６１−Ｒ６０−Ｒ５９−Ｒ５８と、後にウエストラインＷＬとなる、３つの直線辺たるＲ５８−Ｒ５７−Ｒ５６−Ｒ５５−Ｒ５４−Ｒ５３と、後にクロッチ部ＣＬとなる曲線辺たるＲ５３−Ｒ５２−Ｒ５１とによって画成される領域である。尚、図８などに示す破線ＲＭＬは、ズボン右身頃ＰＲにおいて着用者のもも廻りに該当する部位を表すと共に、破線ＲＦＨＬは右前ヒップラインに、破線ＲＢＨＬは右後ヒップラインに該当する部位を表す。また、破線ＲＦＷＬは右前ウエストライン（腰部廻り）に、破線ＲＢＷＬは右後ウエストラインに該当する部位を表す。
【００５０】
このズボン右身頃ＰＲにおいて特徴的なことのひとつは、ズボン右身頃ＰＲが１枚の生地片から製作されることである。換言すれば、ズボン右身頃ＰＲは、前ズボン右身頃ＰＲＦ（前身頃）と後ズボン右身頃ＰＲＢ（後身頃）が内股側（内股線）において一体的に連続する１枚の生地片からなることである。
【００５１】
図９は、ズボンＰを構成する生地片のうち、縫着（縫合）する前のズボン左身頃ＰＬを示す平面図である。
【００５２】
図９に示すように、ズボン左身頃ＰＬは、内股線（１点鎖線で示すが、実際に線があるわけではない）５１−６２を境界として前ズボン左身頃（前身頃）ＰＬＦと後ズボン左身頃（後身頃）ＰＬＢとからなる。
【００５３】
前ズボン左身頃ＰＬＦは、前記した内股線５１−６２と、それに連続する各辺、具体的には、後に裾となる直線辺たる６２−６３と、後に脇線となる曲線辺たる６３−６４−６５−６６と、後にウエストラインＷＬとなる、３つの直線辺たる６６−６７−６８−６９−７０−７１と、後にクロッチ部ＣＬとなる曲線辺たる７１−７２−５１とによって画成される領域である。
【００５４】
また、後ズボン左身頃ＰＬＢは、内股線５１−６２と、それに連続する各辺、具体的には、後に裾となる直線辺たる６２−６１と、後に脇線となる曲線辺たる６１−６０−５９−５８と、後にウエストラインＷＬとなる、３つの直線辺たる５８−５７−５６−５５−５４−５３と、後にクロッチ部ＣＬとなる曲線辺たる５３−５２−５１とによって画成される領域である。尚、図９などに示す破線ＬＭＬは、ズボン左身頃ＰＬにおいて着用者のもも廻りに該当する部位を表すと共に、破線ＬＦＨＬは左前ヒップラインに、破線ＬＢＨＬは左後ヒップラインに該当する部位を示す。また、破線ＬＦＷＬは左前ウエストラインに、破線ＬＢＷＬは左後ウエストラインに該当する部位を示す。
【００５５】
このズボン左身頃ＰＬにおいて特徴的なことのひとつは、ズボン左身頃ＰＬが１枚の生地片から製作されることである。換言すれば、ズボン左身頃ＰＬは、前ズボン左身頃ＰＬＦ（前身頃）と後ズボン左身頃ＰＬＢ（後身頃）が内股側（内股線）において一体的に連続する１枚の生地片からなることである。
【００５６】
尚、上記したズボン右身頃ＰＲ、ズボン左身頃ＰＬなどの生地片は、前述した上着Ｔと同様に、肌に対する刺激が比較的少ない素材のニットから製作される。
【００５７】
ここで、従来技術に係る一般的なズボンの右身頃と上記したズボン右身頃ＰＲとを、図１０を参照して比較する。尚、以下において、ズボン右身頃ＰＲを例にとって説明するが、ズボン左身頃ＰＬも略左右対称であるため、以下の説明はズボン左身頃ＰＬにも妥当する。
【００５８】
図１０は、図８に示すズボン右身頃ＰＲを従来技術に係るズボンの右身頃と比較して示す説明図である。尚、図１０において、理解の便宜のため、ズボン右身頃ＰＲを内股線Ｒ５１−Ｒ６２で切り離して示すが、この実施例に係るズボン右身頃ＰＲは、前述した通り、内股線Ｒ５１−Ｒ６２において一体的に連続している。
【００５９】
図１０に示す如く、従来のズボンの右身頃（１点鎖線で示す。以下「ズボン右身頃ＰＰＲ」という）は、前ズボン右身頃ＰＰＲＦと後ズボン右身頃ＰＰＲＢの２枚の生地片からなる。前ズボン右身頃ＰＰＲＦは、後に内股線となる直線辺たるＲ５１−ａと、後に裾となる直線辺たるａ−ｂと、後に脇線となる曲線辺たるｂ−ｃ−Ｒ６５−ｄと、後にウエストラインとなる直線辺たるｄ−ｅと、後にクロッチ部となる曲線辺たるｅ−Ｒ７２−Ｒ５１とによって画成される領域である。
【００６０】
また、後ズボン右身頃ＰＰＲＢは、後に内股線となる直線辺たるＲ５１−ｆと、後に裾となる直線辺たるｆ−ｇと、後に脇線となる曲線辺たるｇ−ｈ−Ｒ５９−ｉと、後にウエストラインとなる直線辺たるｉ−ｊと、後にクロッチ部となる曲線辺たるｊ−Ｒ５２−Ｒ５１とによって画成される領域である。
【００６１】
図１０から分かるように、この実施例に係る前ズボン右身頃ＰＲＦは、脇線側においてその分量が従来の前ズボン右身頃ＰＰＲＦに比して減少させられる一方、その減少した分量だけ内股線（内股側）において増加させられる。尚、図１０において、従来のズボンに比して減少した部分を斜線で表すと共に、増加した部分を網掛け線で表す。
【００６２】
また、後ズボン右身頃ＰＲＢも同様に、脇線側においてその分量が従来の後ズボン右身頃ＰＰＲＢに比して減少させられる一方、その減少した分量だけ内股線において増加させられる。このように裁断することで、ズボン右身頃ＰＲは、前記した如く、前ズボン右身頃ＰＲＦと後ズボン右身頃ＰＲＢが内股側（内股線）において一体的に連続して形成されてなるように構成することが可能となる。
【００６３】
さらに、ウエストライン部分について説明すると、従来技術に係る前ズボン右身頃ＰＰＲＦにあっては、ウエストラインとなる直線辺ｄ−ｅの長さが、右前ヒップラインＲＦＨＬの長さと略同一となるように裁断される。また、後ズボン右身頃ＰＰＲＢにあっても同様に、直線辺ｉ−ｊの長さが右後ヒップラインＲＢＨＬの長さと略同一となるように裁断される。
【００６４】
これに対して、この実施例に係る前ズボン右身頃ＰＲＦにあっては、脇側とクロッチ部におけるウエストライン付近の生地片の分量をそれぞれ減少させる、別言すれば、右前ウエストラインＲＦＷＬたる直線辺Ｒ６７（Ｒ６６）（Ｒ６８）−Ｒ７０（Ｒ７１）（Ｒ６９）の長さが右前ヒップラインＲＦＨＬのそれよりも短く裁断されてなる。尚、図１０において、従来のズボンに比して減少した部分を斜線で表す。
【００６５】
また、後ズボン右身頃ＰＲＢにあっても同様に、右後ウエストラインＲＢＷＬたる直線辺Ｒ５７（Ｒ５８）（Ｒ５６）−Ｒ５４（Ｒ５３）（Ｒ５５）の長さが右後ヒップラインＲＢＨＬのそれよりも短く裁断されてなる。このように、ズボン右身頃ＰＲの生地片は、ウエストラインＲＦＷＬ，ＲＢＷＬの長さがヒップラインＲＦＨＬ，ＲＢＨＬのそれよりも短く裁断されてなる。
【００６６】
次いで、図３および図４を参照してズボン右身頃ＰＲとズボン左身頃ＰＬの縫着（縫合）について説明する。先ず、ズボン右身頃ＰＲとズボン左身頃ＰＬは、ズボン右身頃ＰＲのウエストラインとなる直線辺の一部であるＲ６９−Ｒ７０−Ｒ７１，Ｒ５５−Ｒ５４−Ｒ５３およびクロッチ部たるＲ７１−Ｒ７２−Ｒ５１−Ｒ５２−Ｒ５３と、ズボン左身頃ＰＬのウエストラインとなる直線辺の一部である６９−７０−７１，５５−５４−５３およびクロッチ部たる７１−７２−５１−５２−５３を縫合して接続される。
【００６７】
そして、ズボン右身頃ＰＲとズボン左身頃ＰＬをそれぞれ、内股線Ｒ５１−Ｒ６２，５１−６２で折り合わせて対向配置させつつ、ズボン右身頃ＰＲにあっては、脇線であるＲ６３−Ｒ６４−Ｒ６５−Ｒ６６、ウエストラインとなる直線辺の一部であるＲ６６−Ｒ６７−Ｒ６８と、脇線であるＲ６１−Ｒ６０−Ｒ５９−Ｒ５８、ウエストラインとなる直線辺の一部であるＲ５８−Ｒ５７−Ｒ５６とを縫合する。一方、ズボン左身頃ＰＬにあっては、脇線である６３−６４−６５−６６、ウエストラインとなる直線辺の一部である６６−６７−６８と、脇線である６１−６０−５９−５８、ウエストラインとなる直線辺の一部である５８−５７−５６とを縫合する。
【００６８】
このように接続されたズボン右身頃ＰＲとズボン左身頃ＰＬにおいて、次にウエストラインが形成される。具体的には、ズボン右身頃ＰＲとズボン左身頃ＰＬの上端Ｒ６８−Ｒ６９，Ｒ５６−Ｒ５５，６８−６９，５６−５５を、図１１に示すように（図１１ではＲ６８部分を示す）、外側に折り返した後、それぞれＲ６６−Ｒ７１，Ｒ５８−Ｒ５３，６６−７１，５８−５３に縫着する。これにより、ズボンＰ完成時において、Ｒ６７−Ｒ７０，Ｒ５７−Ｒ５４，６７−７０，５７−５４がウエストラインの上端縁となると共に、ウエストラインの縫い代が外側に位置させられる。
【００６９】
また、ズボン右身頃ＰＲとズボン左身頃ＰＬの上端を折り返すことによって、図１１に示す如く、ウエストラインには腰部廻りを周回する空間Ａが形成され、その空間Ａには弾性部材（例えば、平ゴムなど）Ｇが配置される。これにより、ウエストラインは伸縮自在とされると共に、図３などに示すギャザー（ひだ。しわ）ｇが形成され、ズボンＰが完成する。
【００７０】
このように、この実施例に係る被服（ズボンＰ）にあっては、ズボンの前身頃（前ズボン右身頃ＰＲＦ、前ズボン左身頃ＰＬＦ）と後身頃（後ズボン右身頃ＰＲＢ、後ズボン左身頃ＰＬＢ）が、内股側において一体的に連続する左右の生地片、即ち、ズボン右身頃ＰＲ、ズボン左身頃ＰＬからなり、左右の生地片をそれぞれ折り合わせて対向配置させつつ、脇側を縫着してなるように構成したので、簡易な構成でありながら、縫い代などが肌に接触することで生じる刺激を低減できると共に、着用感を向上させることができる。
【００７１】
具体的には、従来技術に係る被服（ズボン）は、左右の前身頃と左右の後身頃の４枚の生地片からなり、右の前身頃と右の後身頃、左の前身頃と左の後身頃をそれぞれ内股側と脇側で縫着して左右身頃を形成し、その左右身頃を縫着させてなるように構成されるため、ズボンの内股側と脇側の両方に縫い代が形成される。ところで、着用者が歩行や運動などするとき、着用者の肌にはズボンの内股側が脇側に比して多く接触する。従って、着用者が歩行や運動などする際、内股側の縫い代が着用者の肌に接触し、着用感を低下させていた。特に、肌の弱い人においては、内股側の縫い代が肌に接触することによって刺激を受け、痒みを覚えたり、アトピー性皮膚炎などの症状が悪化することもあった。
【００７２】
しかしながら、この実施例に係る被服にあっては、ズボンＰの前身頃ＰＲＦ，ＰＬＦと後身頃ＰＲＢ，ＰＬＢが、内股側において一体的に連続する左右の生地片（ズボン右身頃ＰＲ、ズボン左身頃ＰＬ）からなり、左右の生地片をそれぞれ折り合わせて対向配置させつつ、脇側を縫着してなるように構成、即ち、従来技術において着用者の内股側に位置させられていた縫い代を除去するように構成したので、４枚の生地片を縫着する従来技術に比して簡易な構成でありながら、縫い代などが肌に接触することで生じる刺激、より具体的には、着用者の内股側の肌に生じる刺激を低減できると共に、着用感を向上させることができる。
【００７３】
また、生地片（ズボン右身頃ＰＲ、ズボン左身頃ＰＬ）は、ウエストラインの長さがヒップラインのそれよりも短く裁断されてなるように構成したので、被服が肌に接触することで生じる刺激を効果的に低減できると共に、着用感をより一層向上させることができる。
【００７４】
具体的には、従来技術に係る被服（ズボン）は、生地片が、ウエストラインの長さとヒップラインの長さが略同一となるように裁断されてなると共に、ウエストライン、換言すれば、着用者の腰部廻りにおいてギャザーが形成される。そのため、腰部廻りに位置させられたギャザーが着用者の肌に接触し、着用感を低下させていた。特に、肌の弱い人においては、ギャザーが肌に接触することによって刺激を受け、痒みを覚えたり、アトピー性皮膚炎などの症状が悪化することもあった。
【００７５】
しかしながら、この実施例に係る被服にあっては、ズボンＰの生地片（ズボン右身頃ＰＲ、ズボン左身頃ＰＬ）は、ウエストラインの長さがヒップラインのそれよりも短く裁断されてなるように構成したので、ウエストラインに形成されるギャザーｇの量を従来のものに比して減少させることができ、よって被服が肌に接触することで生じる刺激、より具体的には、着用者の腰部廻りの肌に生じる刺激を効果的に低減できると共に、着用感をより一層向上させることができる。より具体的には、ズボンＰの生地片（ズボン右身頃ＰＲ、ズボン左身頃ＰＬ）は、ズボンＰ完成時において、ヒップラインが約１０３［ｃｍ］であるのに対し、ウエストラインが約７８［ｃｍ］となる、換言すれば、約２４［％］減少するように裁断されてなるため、その分だけギャザーｇの量を減少、より詳しくは、約２０［％］程度減少させることができる。
【００７６】
以上の如く、この発明の実施例にあっては、少なくとも前身頃（上着前身頃ＴＦ）と後身頃（上着後身頃ＴＢ）とを備えた被服（上着Ｔ）において、衿部Ｃが、前記前身頃から一体的に連続する前衿部ＣＦと、前記後身頃から一体的に連続する後衿部ＣＢとを縫着してなるように構成した。
【００７７】
また、少なくとも前身頃（前ズボン右身頃ＰＲＦ、前ズボン左身頃ＰＬＦ）と後身頃（後ズボン右身頃ＰＲＢ、後ズボン左身頃ＰＬＢ）とを備えたズボンＰからなる被服において、前記前身頃と後身頃が、内股側（内股線Ｒ５１（５１）−Ｒ６２（６２））において一体的に連続する左右の生地片（ズボン右身頃ＰＲ、ズボン左身頃ＰＬ）からなり、前記左右の生地片をそれぞれ折り合わせて対向配置させつつ、脇側（脇線Ｒ６３（６３）−Ｒ６４（６４）−Ｒ６５（６５）−Ｒ６６（６６）、Ｒ６１（６１）−Ｒ６０（６０）−Ｒ５９（５９）−Ｒ５８（５８））を縫着してなるように構成した。
【００７８】
また、前記生地片（ズボン右身頃ＰＲ、ズボン左身頃ＰＬ）は、ウエストラインＷＬの長さがヒップラインＨＬのそれよりも短く裁断されてなるように構成した。
【００７９】
尚、上記において、上着前身頃ＴＦ、上着後身頃ＴＢ、ズボン右身頃ＰＲおよびズボン左身頃ＰＬなどの生地片の素材を具体的に示したが、それらは例示であって限定されるものではなく、要は肌に与える刺激が比較的少ない素材であればよい。
【００８０】
また、ウエストラインＷＬやヒップラインＨＬの長さを具体的に示したが、それらは例示であって限定されるものではない。
【００８１】
また、上着Ｔの前立て部分が開くように構成したが、上乗せ前立てＭ付近にボタンとボタンホール、あるいはマジック・テープ（登録商標）などを配置させ、前立てを開閉自在となるように構成してもよく、さらにはリボンやレースなどで装飾するようにしてもよい。
【００８２】
また、上着Ｔを半袖としたが、それに限られれるものではなく、例えば７分袖や長袖などであってもよい。また、ズボンＰも長ズボンとしたが、半ズボン、ショートパンツなどであってもよい。即ち、この発明は、様々な形状からなる被服に適用が可能である。
【図面の簡単な説明】
【００８３】
【図１】この発明の実施例に係る被服のうちの上着の正面図と上着を着用したときの左側面図である。
【図２】図１に示す上着の背面図と上着を着用したときの右側面図である。
【図３】この発明の実施例に係る被服のうちのズボンの正面図とズボンを着用したときの左側面図である。
【図４】図３に示すズボンの背面図とズボンを着用したときの右側面図である。
【図５】図１などに示す上着前身頃を表す平面図である。
【図６】図２などに示す上着後身頃を表す平面図である。
【図７】図１などに示す上乗せ前立てを表す平面図と背面図である。
【図８】図１などに示すズボン右身頃を表す平面図である。
【図９】図１などに示すズボン左身頃を表す平面図である。
【図１０】図８に示すズボン右身頃を従来技術に係るズボンの右身頃と比較して示す説明図である。
【図１１】図１に示すウエストラインの断面図である。
【符号の説明】
【００８４】
Ｃ  衿部、ＣＢ  後衿部、ＣＦ  前衿部、ＨＬ  ヒップライン、Ｐ  ズボン（被服）、ＰＬ  ズボン左身頃（生地片）、ＰＬＢ  後ズボン左身頃（後身頃）、ＰＬＦ  前ズボン左身頃（前身頃）、ＰＲ  ズボン右身頃（生地片）、ＰＲＢ  後ズボン右身頃（後身頃）、ＰＲＦ  前ズボン右身頃（前身頃）、Ｒ５１（５１）−Ｒ６２（６２）  内股線、Ｒ６１（６１）−Ｒ６０（６０）−Ｒ５９（５９）−Ｒ５８（５８）  脇線、Ｒ６３（６３）−Ｒ６４（６４）−Ｒ６５（６５）−Ｒ６６（６６）  脇線、Ｔ  上着（被服）、ＴＢ  上着後身頃（後身頃）、ＴＦ  上着前身頃（前身頃）、ＷＬ  ウエストライン
【図１】
2008069465.tif 000003
【図２】
2008069465.tif 000004
【図３】
2008069465.tif 000005
【図４】
2008069465.tif 000006
【図５】
2008069465.tif 000007
【図６】
2008069465.tif 000008
【図７】
2008069465.tif 000009
【図８】
2008069465.tif 000010
【図９】
2008069465.tif 000011
【図１０】
2008069465.tif 000012
【図１１】
2008069465.tif 000013